(57)【要約】【課題】スクリーン枠を内側に撓み難くすることができ、これにより印刷精度への悪影響を抑制できる上、スクリーン印刷を行うにあたってスクリーンにかかる負荷を低減でき、これによりスクリーン版の寿命の低下を抑制できるスクリーン版及びスクリーン版用治具を提供する。【解決手段】スクリーン枠と、スクリーン枠に張り付けられ、印刷パターンを有するスクリーンと、スクリーン上に印刷パターンを挟んでスクリーンの幅よりも狭い間隔で設けられたペーストガイド部材とを備えたスクリーン版、及び、スクリーンとスクリーン枠とを備えたスクリーン版に付設されるスクリーン版用治具である。ペーストガイド部材は、金属板を曲げて形成した板状の部材であり、スクリーンに当接するようにスクリーン枠のスクリーンの張り付け側とは反対側の面に固定され、印刷パターン側にかつスクリーンに対して上方向に側壁面を有する。【選択図】図１
2014091233.tif 000002
【特許請求の範囲】
【請求項１】
スクリーン枠と、
前記スクリーン枠に張り付けられ、かつ、印刷パターンを有するスクリーンと、
前記スクリーン枠に張り付けられた前記スクリーン上に前記印刷パターンを挟んで該スクリーンの幅よりも狭い間隔で設けられた一対のペーストガイド部材と
を備えたスクリーン版であって、
前記ペーストガイド部材は、金属板を曲げて形成した板状の部材であり、前記スクリーンに当接するように前記スクリーン枠の前記スクリーンの張り付け側とは反対側の面に固定され、前記印刷パターン側にかつ前記スクリーンに対して上方向に側壁面を有することを特徴とするスクリーン版。
【請求項２】
前記ペーストガイド部材の前記スクリーンと当接する部分には、前記スクリーンとの当接平面が形成されていることを特徴とする請求項１に記載のスクリーン版。
【請求項３】
前記ペーストガイド部材は、前記印刷パターンから離れるかまたは前記印刷パターンに近づけるように調整して固定可能とされていることを特徴とする請求項１または請求項２に記載のスクリーン版。
【請求項４】
スクリーン枠と、前記スクリーン枠に張り付けられ、かつ、印刷パターンを有するスクリーンとを備えたスクリーン版に付設されるスクリーン版用治具であって、
前記スクリーン枠に張り付けられた前記スクリーン上に前記印刷パターンを挟んで該スクリーンの幅よりも狭い間隔で設けられる一対のペーストガイド部材を備え、
前記ペーストガイド部材は、金属板を曲げて形成した板状の部材であり、前記スクリーンに当接するように前記スクリーン枠の前記スクリーンの張り付け側とは反対側の面に固定されて支持され、前記印刷パターン側にかつ前記スクリーンに対して上方向に側壁面を有することを特徴とするスクリーン版用治具。
【発明の詳細な説明】
【技術分野】
【０００１】
本発明は、スクリーン印刷において使用されるスクリーン版、及び、スクリーン印刷において使用されるスクリーン版に付設されるスクリーン版用治具に関する。
【背景技術】
【０００２】
スクリーン印刷に使用される従来のスクリーン版として、例えば、特許文献１に記載のスクリーン版の如く、スクリーン枠と、スクリーン枠に張り付けられたスクリーンと、使用するスキージの両側端にほぼ接する間隔でスキージの移動方向と平行にスクリーン上に設置されたペーストガイドとを備えたものがある。
【０００３】
図７は、特許文献１に記載した従来のスクリーン版１０Ａの概略構成を示す斜視図である。
【０００４】
図７に示すように、特許文献１記載のスクリーン版１０Ａでは、印刷パターン１Ａを有するスクリーン１２Ａは、スクリーン枠１１Ａに張り付けられ、ペーストガイド１３Ａ，１３Ａ（ペーストガイド部材）は、スクリーン枠１１Ａに張り付けられたスクリーン１２Ａ上に印刷パターン１Ａを挟んでスクリーン１２Ａの幅よりも狭い間隔で設けられている。
【０００５】
詳しくは、特許文献１に記載のスクリーン版１０Ａでは、ペーストガイド１３Ａ，１３Ａは、ねじ１４Ａ，１４Ａによって、ペーストガイド１３Ａ，１３Ａのスキージ移動方向Ｘにおけるスクリーン枠１１Ａの両外側の側面１５Ａ，１５Ａに支持されて固定されている。また、特許文献１の段落［０００９］には、ペーストガイド１３Ａ，１３Ａをスクリーン１２Ａ上に直接固定する点についても記載されている。
【先行技術文献】
【特許文献】
【０００６】
【特許文献１】特開平５−５８０７４号公報
【発明の概要】
【発明が解決しようとする課題】
【０００７】
ところが、特許文献１に記載の如く、ペーストガイド部材を、スクリーン枠の両外側の側面に支持して固定すると、ペーストガイド部材を支持するために加わる負荷によってスクリーン枠が内側に撓み（歪み）やすい。このように、スクリーン枠が内側に撓むと、印刷精度に悪影響を与えるという課題がある。
【０００８】
また、特許文献１に記載の如く、ペーストガイド部材をスクリーン上に直接固定すると、スクリーン印刷を行うにあたってスキージがスクリーンを押すとき、スクリーンに負荷、特に、スクリーンのペーストガイド部材との固定部分の近傍（際）で大きな負荷がかかり、スクリーン版の寿命が短くなるという課題もある。
【０００９】
そこで、本発明は、スクリーン枠を内側に撓み難くすることができ、これにより印刷精度への悪影響を抑制することができる上、スクリーン印刷を行うにあたってスクリーンにかかる負荷を低減させることができ、これによりスクリーン版の寿命の低下を抑制することができるスクリーン版及びスクリーン版用治具を提供することを目的とする。
【課題を解決するための手段】
【００１０】
本発明は、前記課題を解決するために、次のスクリーン版及びスクリーン版用治具を提供する。
【００１１】
（１）スクリーン版
スクリーン枠と、前記スクリーン枠に張り付けられ、かつ、印刷パターンを有するスクリーンと、前記スクリーン枠に張り付けられた前記スクリーン上に前記印刷パターンを挟んで該スクリーンの幅よりも狭い間隔で設けられた一対のペーストガイド部材とを備えたスクリーン版であって、前記ペーストガイド部材は、金属板を曲げて形成した板状の部材であり、前記スクリーンに当接するように前記スクリーン枠の前記スクリーンの張り付け側とは反対側の面に固定され、前記印刷パターン側にかつ前記スクリーンに対して上方向に側壁面を有することを特徴とするスクリーン版。
【００１２】
（２）スクリーン版用治具
スクリーン枠と、前記スクリーン枠に張り付けられ、かつ、印刷パターンを有するスクリーンとを備えたスクリーン版に付設されるスクリーン版用治具であって、前記スクリーン枠に張り付けられた前記スクリーン上に前記印刷パターンを挟んで該スクリーンの幅よりも狭い間隔で設けられる一対のペーストガイド部材を備え、前記ペーストガイド部材は、金属板を曲げて形成した板状の部材であり、前記スクリーンに当接するように前記スクリーン枠の前記スクリーンの張り付け側とは反対側の面に固定されて支持され、前記印刷パターン側にかつ前記スクリーンに対して上方向に側壁面を有することを特徴とするスクリーン版用治具。
【００１３】
本発明において、前記ペーストガイド部材の前記スクリーンと当接する部分には、前記スクリーンとの当接平面が形成されている態様を例示できる。
【００１４】
本発明において、前記ペーストガイド部材は、前記印刷パターンから離れるかまたは前記印刷パターンに近づけるように調整して固定可能とされている態様を例示できる。
【発明の効果】
【００１５】
本発明によると、前記スクリーン枠が内側に撓み難くすることができ、これにより印刷精度への悪影響を抑制することができる上、前記スクリーン印刷を行うにあたって前記スクリーンにかかる負荷を低減させることができ、これにより前記スクリーン版の寿命の低下を抑制することができる。
【図面の簡単な説明】
【００１６】
【図１】本発明の実施の形態に係るスクリーン版の概略構成を示す斜視図である。
【図２】図１に示すスクリーン版を平面から視た概略平面図である。
【図３】図１に示すスクリーン版のペーストガイド部材に沿ったＡ方向から視た概略側面図である。
【図４】図１に示すスクリーン版のＢ−Ｂ線に沿った概略断面図である。
【図５】図１から図４に示す一対のペーストガイド部材を示す概略構成図であって、（ａ）から（ｅ）は、それぞれ、一対のペーストガイド部材の背面図、平面図、正面図、左側面図及び右側面図である。
【図６】図１から図４に示すスクリーン版において一方のペーストガイド部材における一方の固定支持部のスクリーン枠への固定状態を拡大して示す概略斜視図である。
【図７】特許文献１に記載した従来のスクリーン版の概略構成を示す斜視図である。
【発明を実施するための形態】
【００１７】
以下、本発明に係る実施の形態について図面を参照しながら説明する。
【００１８】
図１は、本発明の実施の形態に係るスクリーン版１０の概略構成を示す斜視図である。図２は、図１に示すスクリーン版１０を平面から視た概略平面図である。図３は、図１に示すスクリーン版１０のペーストガイド部材１３に沿ったＡ方向から視た概略側面図である。また、図４は、図１に示すスクリーン版１０のＢ−Ｂ線に沿った概略断面図である。
【００１９】
スクリーン版１０は、スクリーン印刷機に使用されるものであり、スクリーン枠１１と、スクリーン枠１１に張り付けられ、かつ、印刷パターン１を有するスクリーン１２と、スクリーン枠１１に張り付けられたスクリーン１２上に印刷パターン１を挟んでスクリーン１２の幅Ｗａ（図１参照）よりも狭い間隔で設けられた一対のペーストガイド部材１３，１３とを備えている。
【００２０】
スクリーン１２は、スクリーン枠１１に張り付けられた状態でスクリーン枠１１の周縁部以外の領域に印刷パターン１を有している。詳しくは、印刷パターン１は、スクリーン１２におけるスクリーン枠１１の周縁部のうち、スキージ２０（図２参照）の移動方向であるスキージ移動方向Ｘに沿った周縁部以外の領域（この例ではスクリーン１２の中央部）に設けられている。
【００２１】
スクリーン枠１１は、高さ方向Ｚにおける一方側の第１端面１１ａ，１１ａ（下面）にスクリーン１２が張り付けられている。スクリーン枠１１は、スキージ移動方向Ｘにおいて両側に設けられた一対の枠体（ここでは一対の第１枠体１１１，１１１）を備えている。詳しくは、一対の第１枠体１１１，１１１は、互いに平行又は略平行とされている。また、スクリーン枠１１は、一対の第１枠体１１１，１１１に加えて、一対の第１枠体１１１，１１１に交差して互いに平行又は略平行な一対の第２枠体１１２，１１２を備えている。
【００２２】
具体的には、スクリーン枠１１は、平面視で四角形状（ここでは長方形状）とされており、一対の第１枠体１１１，１１１及び一対の第２枠体１１２，１１２は、互いに直交するようになっている。なお、スクリーン枠１１は、平面視で正方形状とされていてもよい。
【００２３】
一対の第１枠体１１１，１１１は、スキージ移動方向Ｘに直交するスクリーン枠１１の幅方向Ｙに延びており、一対の第２枠体１１２，１１２は、スキージ移動方向Ｘに延びている。一対の第１枠体１１１，１１１及び一対の第２枠体１１２，１１２を構成する個々の枠体は、断面視で四角形状とされている。
【００２４】
スクリーン枠１１に張り付けられたスクリーン１２の幅方向Ｙにおける幅Ｗａ（図１参照）（すなわち一対の第１枠体１１１，１１１の長さ）は、ここでは、スクリーン枠１１に張り付けられたスクリーン１２のスキージ移動方向Ｘ（長手方向）における幅Ｗｂ（図１参照）（すなわち一対の第２枠体１１２，１１２の長さ）よりも短くなっている。
【００２５】
そして、一対のペーストガイド部材１３，１３は、スクリーン１２のペースト３０（図２参照、例えば導電性ペースト）を載置する側の面であるペースト載置面（上面）に当接するようにスクリーン枠１１のスキージ移動方向Ｘにおける両端部（ここでは一対の第１枠体１１１，１１１）のスクリーン１２の張り付け側とは反対側の面（すなわち高さ方向Ｚにおける他方側の第２端面（上面）１１ｂ，１１ｂ）に固定されて支持されている。こうすることで、一対のペーストガイド部材１３，１３を、スクリーン１２のペースト載置面（上面）に固定することなく、スクリーン枠１１のスキージ移動方向Ｘにおける両端部（ここでは一対の第１枠体１１１，１１１）の外側の側面１５に支持しない状態でスクリーン枠１１に設けることができる。
【００２６】
詳しくは、一対のペーストガイド部材１３，１３は、スキージ移動方向Ｘにおける両端部（ここでは一対の第１枠体１１１，１１１）のスクリーン１２の張り付け側とは反対側の面（第２端面（上面）１１ｂ，１１ｂ）の一部にのみ固定されている。一対のペーストガイド部材１３，１３は、スキージ移動方向Ｘに沿って延び、かつ、印刷パターン１を間にして互いに平行又は略平行とされている。
【００２７】
なお、図１から図４において説明していない符号の構成要素については、後ほど図５及び図６を参照しながら説明する。
【００２８】
図５は、図１から図４に示す一対のペーストガイド部材１３，１３を示す概略構成図である。図５（ａ）から図５（ｅ）は、それぞれ、一対のペーストガイド部材１３，１３の背面図、平面図、正面図、左側面図及び右側面図を示している。なお、個々のペーストガイド部材１３は実質的に同じ構成であるため、図５では一つの図で示している。
【００２９】
図５に示すように、一対のペーストガイド部材１３，１３は、金属板を折り曲げて形成した板状の部材とされている。なお、一対のペーストガイド部材１３，１３は、スキージ２０（図２参照）によるスクリーン印刷動作を確実に行えるものであれば、何れの材料の金属板を用いてもよいが、特に、汚染を防止するという観点から、ステンレス鋼或いはステンレス合金等の金属板を用いることが好ましい。
【００３０】
そして、一対のペーストガイド部材１３，１３は、印刷パターン１側にかつスクリーン１２に対して上方に側壁面１３ａ，１３ａ（図１及び図２参照）を有している。詳しくは、一対のペーストガイド部材１３，１３の印刷パターン１側には、スクリーン１２に対して交差する（ここでは垂直又は略垂直な）方向に沿った側壁面１３ａ，１３ａが形成されている。また、一対のペーストガイド部材１３，１３のスクリーン１２と当接する部分には、スクリーン１２と隙間なく当接（密着）する当接平面１３ｂ，１３ｂ（図４参照）が形成されている。ここで、スクリーン印刷する状態でのスキージ２０の幅方向Ｙにおける端面２０ａ（図２参照）、及び、一対のペーストガイド部材１３，１３における側壁面１３ａ，１３ａは、スキージ２０がスキージ移動方向Ｘに円滑に移動できる程度に若干の間隔ｄ（図２参照）をおいて互いに平行になるように形成されている。すなわち、スキージ２０の幅方向Ｙにおける幅Ｗｃ（図２参照）は、一対のペーストガイド部材１３，１３の間隔Ｄ（図１参照）よりもスキージ２０がスキージ移動方向Ｘに円滑に移動できる程度に若干小さくなっている。
【００３１】
詳しくは、一対のペーストガイド部材１３，１３は、スクリーン１２に当接してペースト３０（図２参照）をガイドする当接ガイド部１３１，１３１（図１、図２及び図４参照）と、スクリーン枠１１のスキージ移動方向Ｘにおける両端部（ここでは一対の第１枠体１１１，１１１）の第２端面（上面）１１ｂ，１１ｂに固定されて支持される固定支持部（１３２，１３２），（１３２，１３２）（図１から図４参照）とを有している。
【００３２】
当接ガイド部１３１，１３１は、金属板をスキージ移動方向Ｘに沿って折り曲げ形成（具体的には曲げ加工）することで、互いに交差する（ここでは垂直又は略垂直な）方向に曲げられたガイド板部１３１ａ及び当接板部１３１ｂ（図１、図２及び図４参照）を備えている。ガイド板部１３１ａは、外側面が相手側のペーストガイド部材１３の方に向くように形成されている。また、当接板部１３１ｂは、外側面がスクリーン１２の方に向くように形成されている。そして、ガイド板部１３１ａにおける相手側のペーストガイド部材１３の方に向く外側面が側壁面１３ａ，１３ａとされ、当接板部１３１ｂのスクリーン１２の方に向く外側面が当接平面１３ｂ，１３ｂとされている。
【００３３】
具体的には、一対のペーストガイド部材１３，１３における当接ガイド部１３１，１３１は、ガイド板部１３１ａ及び当接板部１３１ｂにより断面視でＬ字形状を構成している（図５（ｄ）及び図５（ｅ）参照）。
【００３４】
なお、図５において説明していない符号の構成要素については、後ほど図６を参照しながら説明する。
【００３５】
図６は、図１から図４に示すスクリーン版１０において一方のペーストガイド部材１３における一方の固定支持部１３２のスクリーン枠１１への固定状態を拡大して示す概略斜視図である。なお、一対のペーストガイド部材１３，１３において固定支持部（１３２，１３２），（１３２，１３２）のスクリーン枠１１への固定状態は何れも実質的に同じ構成であるため、図６において一方のペーストガイド部材１３における一方の固定支持部１３２のスクリーン枠１１への固定状態に代表させて示している。
【００３６】
図６に示すように、固定支持部（１３２，１３２），（１３２，１３２）は、金属板を幅方向Ｙに沿って折り曲げ形成（具体的には曲げ加工）することで、互いに交差する（ここでは垂直又は略垂直な）方向に曲げられた連結板部（１３２ａ，１３２ａ），（１３２ａ，１３２ａ）及び固定板部（１３２ｂ，１３２ｂ），（１３２ｂ，１３２ｂ）（図１から図５参照）を備えている。連結板部（１３２ａ，１３２ａ），（１３２ａ，１３２ａ）は、内側面がスクリーン枠１１のスキージ移動方向Ｘの両端部（ここでは一対の第１枠体１１１，１１１）における内側の内壁面１１ｃ，１１ｃの方に向くように形成されている。また、固定板部（１３２ｂ，１３２ｂ），（１３２ｂ，１３２ｂ）は、内側面がスクリーン枠１１の第２端面（上面）１１ｂ，１１ｂの方に向くように形成されている。
【００３７】
詳しくは、連結板部（１３２ａ，１３２ａ），（１３２ａ，１３２ａ）は、スクリーン枠１１の内壁面１１ｃ，１１ｃと平行又は略平行に形成されている。連結板部（１３２ａ，１３２ａ），（１３２ａ，１３２ａ）におけるスクリーン枠１１の内壁面１１ｃ，１１ｃの方に向く内側面は、スクリーン枠１１の内壁面１１ｃ，１１ｃと非接触又は接触（ここでは非接触）の状態とされている。また、連結板部（１３２ａ，１３２ａ），（１３２ａ，１３２ａ）は、スクリーン枠１１の高さ方向Ｚにおける一端部（１３２ｃ，１３２ｃ），（１３２ｃ，１３２ｃ）が一対のペーストガイド部材１３，１３における当接ガイド部１３１，１３１のスキージ移動方向Ｘの両端部（１３１ｃ，１３１ｃ），（１３１ｃ，１３１ｃ）に連結され、かつ、他端部（１３２ｄ，１３２ｄ），（１３２ｄ，１３２ｄ）が固定板部（１３２ｂ，１３２ｂ），（１３２ｂ，１３２ｂ）のスキージ移動方向Ｘにおける一端部（１３２ｅ，１３２ｅ），（１３２ｅ，１３２ｅ）に連結されている。
【００３８】
固定板部（１３２ｂ，１３２ｂ），（１３２ｂ，１３２ｂ）は、スクリーン枠１１のスキージ移動方向Ｘの両端部（ここでは一対の第１枠体１１１，１１１）の第２端面（上面）１１ｂ，１１ｂと平行又は略平行に形成されている。固定板部（１３２ｂ，１３２ｂ），（１３２ｂ，１３２ｂ）は、スクリーン枠１１の第２端面（上面）１１ｂ，１１ｂの方に向く内側面がスクリーン枠１１の第２端面（上面）１１ｂ，１１ｂに接触した状態で固定されている。
【００３９】
具体的には、一対のペーストガイド部材１３，１３において、当接ガイド部１３１，１３１における当接板部（１３１ｂ，１３１ｂ），（１３１ｂ，１３１ｂ）及び連結板部（１３２ａ，１３２ａ），（１３２ａ，１３２ａ）が直角又は略直角に曲げられ（図５（ａ）及び図５（ｃ）参照）、連結板部（１３２ａ，１３２ａ），（１３２ａ，１３２ａ）及び固定板部（１３２ｂ，１３２ｂ），（１３２ｂ，１３２ｂ）が直角又は略直角に曲げられている（図５（ａ）及び図５（ｃ）参照）。
【００４０】
また、固定板部（１３２ｂ，１３２ｂ），（１３２ｂ，１３２ｂ）は、固定部材１４（ここでは雄ねじ）（図１から図４参照）によってスクリーン枠１１のスキージ移動方向Ｘの両端部（ここでは一対の第１枠体１１１，１１１）の第２端面（上面）１１ｂ，１１ｂに着脱可能に固定される被固定部（１３２ｆ，１３２ｆ），（１３２ｆ，１３２ｆ）（図１から図４参照）を有している。
【００４１】
具体的には、被固定部（１３２ｆ，１３２ｆ），（１３２ｆ，１３２ｆ）には、貫通孔（１３２ｇ，１３２ｇ），（１３２ｇ，１３２ｇ）（図１から図４参照）が設けられている。スクリーン枠１１の第２端面（上面）１１ｂ，１１ｂには、固定部（１１ｄ，１１ｄ），（１１ｄ，１１ｄ）（ここでは雌ねじ）（図３及び図４参照）が設けられている。
【００４２】
固定板部（１３２ｂ，１３２ｂ），（１３２ｂ，１３２ｂ）は、スクリーン枠１１の第２端面（上面）１１ｂ，１１ｂにおける固定部（１１ｄ，１１ｄ），（１１ｄ，１１ｄ）（ここでは雌ねじ）に固定部材１４（ここでは雄ねじ）が貫通孔（１３２ｇ，１３２ｇ），（１３２ｇ，１３２ｇ）を介して着脱可能に固定（ここでは螺合）されることによりスクリーン枠１１の第２端面（上面）１１ｂ，１１ｂに固定されるようになっている。
【００４３】
本実施の形態では、一対のペーストガイド部材１３，１３は、印刷パターン１から離れるかまたは印刷パターン１に近づけるように調整して固定可能とされている。詳しくは、一対のペーストガイド部材１３，１３は、スクリーン枠１１に対して着脱可能かつ幅方向Ｙに移動可能に固定されている。具体的には、一対のペーストガイド部材１３，１３における貫通孔（１３２ｇ，１３２ｇ），（１３２ｇ，１３２ｇ）は、幅方向Ｙに沿って延び、かつ、幅方向Ｙの内側端又は外側端（ここでは外側端）を開放した開放長孔（切り欠き孔）とされている。
【００４４】
なお、本実施の形態では、ペーストガイド部材１３，１３をスクリーン枠１１に固定部材１４（ここでは雄ねじ）を用いて固定したが、嵌合や係合等の手法によってペーストガイド部材１３，１３をスクリーン枠１１に直接的に固定するようになっていてもよい。
【００４５】
以上説明したように、本実施の形態に係るスクリーン版１０は、スクリーン枠１１と、スクリーン枠１１に張り付けられ、かつ、印刷パターン１を有するスクリーン１２と、スクリーン枠１１に張り付けられたスクリーン１２上に印刷パターン１を挟んでスクリーン１２の幅Ｗａ（図１参照）よりも狭い間隔Ｄ（図１参照）で設けられた一対のペーストガイド部材１３，１３とを備えている。そして、一対のペーストガイド部材１３，１３は、金属板を曲げて形成した板状の部材であり、スクリーン１２に当接するようにスクリーン枠１１のスクリーン１２の張り付け側とは反対側の面（すなわち高さ方向Ｚにおける他方側の第２端面（上面）１１ｂ，１１ｂ）（図１から図４及び図６参照）に固定され、印刷パターン１側にかつスクリーン１２に対して上方向に側壁面１３ａ，１３ａを有している。
【００４６】
本実施の形態によれば、例えば、単一のスキージ２０（図２参照）をスキージ移動方向Ｘに移動させる。そうすると、ペースト３０（図２参照）が一対のペーストガイド部材１３，１３によってガイドされてスキージ２０によってスクリーン１２の印刷パターン１上に押し付けられることで、スクリーン１２の下方に配置した被印刷物（図示せず）が印刷されるが、一対のペーストガイド部材１３，１３は、スクリーン１２上に印刷パターン１を挟んで設けられているので、スクリーン１２上のペースト３０のはみ出しを効果的に防止することが可能となる。そして、一対のペーストガイド部材１３，１３は、スクリーン１２に当接するようにスクリーン枠１１のスクリーン１２の張り付け側とは反対側の面（すなわち高さ方向Ｚにおける他方側の第２端面（上面）１１ｂ，１１ｂ）に固定されることで、一対のペーストガイド部材１３，１３をスクリーン枠１１の外側の側面１５に支持しない状態でスクリーン枠１１に設けることができ、これにより、スクリーン枠１１を内側に撓み難くすることができ、従って、印刷精度への悪影響を抑制することが可能となる。しかも、一対のペーストガイド部材１３，１３は、スクリーン１２に当接するようにスクリーン枠１１のスクリーン１２の張り付け側とは反対側の面（すなわち高さ方向Ｚにおける他方側の第２端面（上面）１１ｂ，１１ｂ）に固定されることで、一対のペーストガイド部材１３，１３をスクリーン１２に固定しないようにすることができ、これにより、スクリーン印刷を行うにあたってスキージ２０がスクリーン１２を押すとき、スクリーン１２にかかる負荷、特に、一対のペーストガイド部材１３，１３によりスクリーン１２にかかる負荷を低減させることができ、従って、スクリーン版１０の寿命の低下を抑制することが可能となる。
【００４７】
さらに、一対のペーストガイド部材１３，１３は、金属板を曲げて形成した板状の部材とされていることから、一対のペーストガイド部材１３，１３の軽量化を実現させることができ、それだけ、スクリーン印刷を行うときにスクリーン枠１１に負荷をかけ難くすることができる。さらに、金属板から板状の部材を簡単にかつ容易に形成することができ、一対のペーストガイド部材１３，１３を安価に作製することができる。しかも、一対のペーストガイド部材１３，１３は、印刷パターン１側にかつスクリーン１２に対して上方向に側壁面１３ａ，１３ａを有していることで、側壁面１３ａ，１３ａによりペースト３０の幅方向Ｙへのはみ出しを阻止しやすくすることができ、これにより、たとえペースト３０の供給量が過多になったとしてもペースト３０の幅方向Ｙへのはみ出しを確実に抑制することが可能となる。
【００４８】
ところで、一対のペーストガイド部材１３，１３とスクリーン１２との間に隙間があると、一対のペーストガイド部材１３，１３とスクリーン１２との間から外側にペースト３０がはみ出しやすい。
【００４９】
この点、本実施の形態では、一対のペーストガイド部材１３，１３のスクリーン１２と当接する部分には、スクリーン１２との当接平面１３ｂ，１３ｂが形成されている。
【００５０】
このように、一対のペーストガイド部材１３，１３のスクリーン１２と当接する部分に当接平面１３ｂ，１３ｂ（図４及び図５）が形成されていることで、一対のペーストガイド部材１３，１３における当接平面１３ｂ，１３ｂとスクリーン１２との間に隙間が生じることを抑制でき、これにより、一対のペーストガイド部材１３，１３における当接平面１３ｂ，１３ｂとスクリーン１２との間から外側へのペースト３０のはみ出しを抑制することが可能となる。
【００５１】
また、本実施の形態では、一対の一対のペーストガイド部材１３，１３は、印刷パターン１から離れるかまたは印刷パターン１に近づけるように調整して固定可能とされていることで、利便性を向上させることができる。
【００５２】
詳しくは、一対のペーストガイド部材１３，１３は、スクリーン枠１１に対して着脱可能とされていることで、各種のスクリーン版に適用することができる。
【００５３】
具体的には、一対のペーストガイド部材１３，１３における貫通孔（１３２ｇ，１３２ｇ），（１３２ｇ，１３２ｇ）は、幅方向Ｙに沿って延び、かつ、幅方向Ｙの内側端又は外側端（ここでは外側端）を開放した開放長孔（切り欠き孔）とされていることで、固定部材１４を仮止めする（ここでは雄ねじを緩める）だけで簡単に取り付け、取り外しを行うことができ、しかも、開放長孔とされた貫通孔（１３２ｇ，１３２ｇ），（１３２ｇ，１３２ｇ）の幅方向Ｙの寸法の範囲内であれば、一対のペーストガイド部材１３，１３の間隔Ｄ（図１参照）を簡単かつ自由に（任意に）変更することが可能となる。
【００５４】
また、スクリーン枠１１と一対のペーストガイド部材１３，１３の固定板部（１３２ｂ，１３２ｂ），（１３２ｂ，１３２ｂ）との間にワッシャー等のスペーサ（図示せず）を設けることができる。こうすることで、スクリーン枠１１と一対のペーストガイド部材１３，１３の固定板部（１３２ｂ，１３２ｂ），（１３２ｂ，１３２ｂ）との間のクリアランスを簡単かつ自由に（任意に）に変更することができ、任意の高さのスクリーン枠１１に対応させることができる。
【００５５】
なお、本実施の形態では、単一のスキージ２０を用いてスクリーン印刷を行う例について説明したが、複数のスキージ２０〜２０を用いてスクリーン印刷を行うようにしてもよい。
【００５６】
また、本実施の形態では、スクリーン１２、スクリーン枠１１及び一対のペーストガイド部材１３，１３を備えたスクリーン版１０について説明したが、一対のペーストガイド部材１３，１３を備えたスクリーン版用治具が、スクリーン１２及びスクリーン枠１１を備えたスクリーン版１０に付設されるようになっていてもよい。この例では、一対のペーストガイド部材１３，１３と固定部材１４とでスクリーン版用治具を構成している。但し、それに限定されるものではなく、一対のペーストガイド部材１３，１３自身がスクリーン版用治具を構成していてもよい。
【００５７】
本発明は、以上説明した実施の形態に限定されるものではなく、他のいろいろな形で実施することができる。そのため、かかる実施の形態はあらゆる点で単なる例示にすぎず、限定的に解釈してはならない。本発明の範囲は請求の範囲によって示すものであって、明細書本文には、なんら拘束されない。さらに、請求の範囲の均等範囲に属する変形や変更は、全て本発明の範囲内のものである。
【符号の説明】
【００５８】
１        印刷パターン
１０      スクリーン版
１１      スクリーン枠
１１ａ    第１端面
１１ｂ    第２端面
１１ｃ    内壁面
１２      スクリーン
１３      ペーストガイド部材
１３ａ    側壁面
１３ｂ    当接平面
１４      固定部材
１５      側面
２０      スキージ
３０      ペースト
１１１    第１枠体
１１２    第２枠体
１３１    当接ガイド部
１３１ａ  ガイド板部
１３１ｂ  当接板部
１３２    固定支持部
１３２ａ  連結板部
１３２ｂ  固定板部
ｄ        間隔
Ｄ        間隔
Ｗａ      幅
Ｗｂ      幅
Ｗｃ      幅
Ｘ        スキージ移動方向
Ｙ        幅方向
Ｚ        高さ方向
【図１】
2014091233.tif 000003
【図２】
2014091233.tif 000004
【図３】
2014091233.tif 000005
【図４】
2014091233.tif 000006
【図５】
2014091233.tif 000007
【図６】
2014091233.tif 000008
【図７】
2014091233.tif 000009